(57)【要約】  本発明による表示すべきメッセージを自動車の表示装置に伝送する方法は、中央計算機の自動車データベースから、所定の選択基準に基づき、メッセージを伝送すべき少なくとも一つの自動車を選択して、各自動車に割り当てられた、移動体通信システムの移動体通信識別番号を捜し当てる工程と、移動体通信識別番号に基づき、移動体通信システムの有効になっていない加入者識別モジュールを有効化する工程であって、加入者識別モジュールが、選択された少なくとも一つの自動車の通信装置に接続されている工程と、移動体通信システムを介して、中央計算機から、選択された少なくとも一つの自動車の通信装置までのデータ接続を構築する工程と、データ接続を介して、中央計算機から、通信装置に接続された、捜し当てられた各自動車のプロセッサ装置に表示すべきメッセージを伝送する工程と、プロセッサ装置によりメッセージを継続処理して、プロセッサ装置に接続された表示装置にメッセージを表示する工程とを有する。
2019512908.tif 000002
【特許請求の範囲】
【請求項１】
表示すべきメッセージを自動車の表示装置に伝送する方法であって、
中央計算機（２）の自動車データベースから、所定の選択基準に基づき、メッセージを伝送すべき少なくとも一つの自動車（５）を選択して、各自動車（５）に割り当てられた、移動体通信システムの移動体通信識別番号を捜し当てる工程と、
移動体通信識別番号に基づき、移動体通信システムの有効になっていない加入者識別モジュール（１３）を有効化する工程であって、加入者識別モジュール（１３）が、選択された少なくとも一つの自動車（５）の通信装置（１１）に接続されている工程と、
移動体通信システムを介して、中央計算機（２）から、選択された少なくとも一つの自動車（５）の通信装置（１１）までのデータ接続を構築する工程と、
データ接続を介して、中央計算機（２）から、通信装置（１１）に接続された、捜し当てられた各自動車（５）のプロセッサ装置（４）に表示すべきメッセージを伝送する工程と、
プロセッサ装置（４）によりメッセージを継続処理して、プロセッサ装置（４）に接続された表示装置（１５）にメッセージを表示する工程と、
を有する方法。
【請求項２】
中央計算機（２）が、データ接続を介して表示すべきメッセージを伝送する前に、メッセージの継続処理及び／又は表示のために、プロセッサ装置（４）において、一つ又は複数のソフトウェアモジュールが必要であるのか否かを調査し、
必要なソフトウェアモジュールがプロセッサ装置（４）にインストールされていない場合に、相応のソフトウェアモジュールをインストールするために、データ接続を介して、中央計算機（２）からプロセッサ装置（４）に、インストール命令を伝送する、又は相応のソフトウェアモジュールをそのインストール命令と共に伝送するか、
必要なソフトウェアモジュールが実行されない場合に、相応のソフトウェアモジュールを実行するために、データ接続を介して、中央計算機（２）からプロセッサ装置（４）に、実行命令を伝送するかの少なくともいずれか一つを行なう
ことを特徴とする請求項１に記載の方法。
【請求項３】
メッセージの継続処理及び／又はメッセージの表示のためにプロセッサ装置（４）においてインストール及び／又は実行されたソフトウェアモジュールの中の一つ又は複数が、中央計算機（２）から伝送されるアンインストール命令を用いてプロセッサ装置（４）においてアンインストールされるか、中央計算機（２）から伝送される停止命令を用いてプロセッサ装置（４）において停止されるか、或いはその両方が行なわれることを特徴とする請求項２に記載の方法。
【請求項４】
表示装置（１５）でのメッセージの表示後に、加入者識別モジュール（１３）が無効化されることを特徴とする請求項１から３までのいずれか一つに記載の方法。
【請求項５】
表示すべきメッセージを伝送するために、中央計算機（２）から、先ず捜し当てられた各自動車（５）のプロセッサ装置（４）にトリガーが伝送され、トリガーが、メッセージ又はメッセージへのリンクを中央計算機（２）から呼び出すために、プロセッサ装置（４）を制御し、メッセージへのリンクが中央計算機（２）から呼び出された場合に、プロセッサ装置（４）が、リンクに基づき、中央計算機（２）からメッセージを呼び出すことを特徴とする請求項１から４までのいずれか一つに記載の方法。
【請求項６】
複数の自動車を選択することで、複数の自動車（５）に対して、加入者識別モジュールの有効化と無効化の少なくともいずれか、及び／又は、一つ又は複数のソフトウェアモジュールのインストール、実行、アンインストール及び停止の少なくともいずれかが実施されることを特徴とする請求項１から５までのいずれか一つに記載の方法。
【請求項７】
メッセージの表示時に、入力装置を用いることで使用者リアクション、特に、使用者の確認又は入力をプロセッサ装置（４）により検知することが可能であり、使用者リアクションが、データ接続を介して、プロセッサ装置（４）から中央計算機（２）に、保存のために伝送されることを特徴とする請求項１から６までのいずれか一つに記載の方法。
【請求項８】
加入者識別モジュール（１３）がＳＩＭカードとして構成されていることを特徴とする請求項１から７までのいずれか一つに記載の方法。
【請求項９】
表示すべきメッセージを自動車の表示装置に伝送するプロセッサ装置であって、
プロセッサ装置（４）は、表示すべきメッセージを受信して、自動車（５）の表示装置（１５）にメッセージを表示するように構成され、
プロセッサ装置（４）は、表示すべきメッセージを受信して、メッセージを表示するために、データバスインタフェース（１４）を介して、自動車（５）のデータバス（１２）に接続することが可能であり、
データバス（１２）は、表示すべきメッセージを受信する通信装置（１１）と、メッセージを表示する表示装置（１５）とに接続されており、
プロセッサ装置（４）は、請求項１から８までのいずれか一つに記載の方法を実施するように構成されている、
プロセッサ装置。
【請求項１０】
請求項９に記載のプロセッサ装置（４）を備えた自動車。
【請求項１１】
請求項１０に記載の自動車（５）を備えたメッセージ伝送システム。
【請求項１２】
メッセージ伝送システム（１）が、表示すべきメッセージを自動車（５）の表示装置（１５）に伝送する中央計算機（２）と、中央計算機（２）の操作に利用されるオペレーティングコンピュータ（３）とを備えていることを特徴とする請求項１１に記載のメッセージ伝送システム。
【発明の詳細な説明】
【技術分野】
【０００１】
本発明は、表示すべきメッセージを自動車の表示装置に伝送する方法、プロセッサ装置、そのようなプロセッサ装置を備えた自動車及びメッセージ伝送システムに関する。
【背景技術】
【０００２】
自動車は、多くの場合、その自動車の運転者及び／又は搭乗者に様々な種類の情報を表示するのに利用できる表示装置を備えている。それらの情報はこのとき、例えば、ナビゲーション機器、ラジオ機器、ＣＤプレーヤ／ＤＶＤプレーヤ、（インターネット）モデム、或いは自動車のその他の装置又は機器に由来し得る。
【０００３】
ここで、最新の自動車では、表示装置に表示される情報がソフトウェアモジュールにより処理、編集されて、表示装置で再生される。自動車で実行することができ且つ実行もされるそれらのソフトウェアモジュールは、通常は様々なサービスを提供する。それらのサービスは、例えば、システムサービス、ネットワークサービス、電気通信サービス、ナビゲーションサービス、媒体再生サービス、メッセージサービス、並びにそれ以外の情報サービス、娯楽サービス及びアフターサービスを含み得る。
【０００４】
サービスはこのとき、無料か、或いはサービスプロバイダにより有料で提供されることもある。このとき、自動車の製造業者がサービスプロバイダとして現れて、自動車の購入者にサービスを申し出ることがよくある。そして、購入者は、必要があれば、そのようなサービスに申し込む。
【０００５】
多くの場合、同じ一つの製造業者の別々の自動車は、違ったソフトウェアの状況を有している。一方の自動車では所定のサービスを提供でき、或いは必要なソフトウェアモジュールがそこにインストールされていて実行できる反面、他方の自動車ではそれらのソフトウェアモジュールがないこともあり得る。特に、メッセージサービス用のソフトウェアモジュールが無く、実行されない自動車が存在する。
【０００６】
これは、申し込んだサービスの契約期間が終了していると該当する可能性がある。その場合、サービスに必要なソフトウェアモジュールが停止されているか、或いは関連するコンポーネントがアンインストールさえされている可能性がある。
【０００７】
特定の状況では、自動車の運転者又は所有者との通信を行なうことが有利なことがある。しかし、多くの場合、購入者、特に二番目の購入者又はその次の購入者に関する情報が、データ保護の理由からも製造業者に提供されないので、連絡を取る手立てがない。これは、購入者と直接連絡をとる手段が製造業者に閉ざされていることを意味する。幾つかの国では、製造業者の側から当局を介して購入者と連絡をとるか、或いは購入者に間接的にメッセージを届けることができるぐらいの手段しかない。これは、例えば、ドイツなどの幾つかの国において、修理又は欠陥除去のためのリコール措置のときにそれを理由とする例外的なケースでしばしば可能である。
【発明の概要】
【発明が解決しようとする課題】
【０００８】
本発明の課題は、表示すべきメッセージを自動車の表示装置に伝送することで、自動車のソフトウェアの状態及び／又は移動体通信状態に関係無く何時でもメッセージを自動車に伝送することができ、自動車の表示装置に表示することができるようにする方法、プロセッサ装置、そのようなプロセッサ装置を備えた自動車及びメッセージ伝送システムを実現することである。
【０００９】
本発明の別の課題は、表示すべきメッセージを自動車の表示装置に伝送することで、所有者又は運転者に固有の情報が、取得され得るようにし、且つ／又はメッセージが認知されたことを確認できるようにする方法、プロセッサ装置、そのようなプロセッサ装置を備えた自動車及びメッセージ伝送システムを実現することである。
【００１０】
更に、本発明の課題は、表示すべきメッセージを複数の自動車の表示装置に伝送することで、利用できる送信容量を効率的に使用できるようにする方法、プロセッサ装置、そのようなプロセッサ装置を備えた自動車及びメッセージ伝送システムを実現することである。
【課題を解決するための手段】
【００１１】
これらの課題の中の一つ以上は、独立請求項に基づく方法又は装置によって解決される。本発明の有利な実施形態は、各従属請求項に記載されている。
【００１２】
表示すべきメッセージを自動車の表示装置に伝送する方法は、
中央計算機の自動車データベースから、所定の選択基準に基づき、メッセージを伝送すべき少なくとも一つの自動車を選択して、各自動車に割り当てられた、移動体通信システムの移動体通信識別番号を捜し当てる工程と、
移動体通信識別番号に基づき、移動体通信システムの有効になっていない加入者識別モジュールを有効化する工程であって、加入者識別モジュールが、選択された少なくとも一つの自動車の通信装置に接続されている工程と、
移動体通信システムを介して、中央計算機から、選択された少なくとも一つの自動車の通信装置までのデータ接続を構築する工程と、
データ接続を介して、中央計算機から、通信装置に接続された、捜し当てられた各自動車のプロセッサ装置に表示すべきメッセージを伝送する工程と、
プロセッサ装置によりメッセージを継続処理して、プロセッサ装置に接続された表示装置にメッセージを表示する工程と、
を有する。
【００１３】
所定の選択基準に基づき、メッセージを伝送すべき少なくとも一つの自動車を選択することによって、狙い通り所定の一つ又は複数の自動車にメッセージを伝送することができる。
【００１４】
少なくとも一つの自動車を選択する選択基準は、車両識別番号、自動車型式、自動車モデル、自動車鍵番号、製造年、移動体通信状態及び／又はソフトウェア状態を含む。これらの基準は、自動車を選択するために個々に、或いは組み合わせて適用又は使用することができる。
【００１５】
この場合、メッセージの伝送は、選択された少なくとも一つの自動車の通信装置を介して行なわれる。このような伝達装置は、多くの場合は加入者識別モジュールに接続されている。加入者識別モジュールは、各移動体通信ネットワークの加入者を一義的に特定するので、移動体通信システムを介した通信を確立できるようにするためには、これらの加入者識別モジュールが必要である。加入者識別モジュールの特定はこのとき、移動体通信識別番号に基づき行なわれる。
【００１６】
そのような加入者識別モジュールはここで、例えば、ＳＩＭカードとして構成することができる。
【００１７】
そのような加入者識別モジュールは、多くは自動車の製造時に予め自動車に組み込まれる。購入者により申し込まれたサービスに応じて、相応の加入者識別モジュールが有効化されているか、無効化されている。
【００１８】
有効になっていない加入者識別モジュールを有効化することによって、加入者識別モジュールを備えた各自動車の表示装置に表示すべきメッセージを伝送する手段が実現される。それは、自動車の移動体通信状態に関係無く通信を実行できることを意味する。それによって、加入者識別モジュールそれ自体が無効化された状態にあっても、運転者（多くの場合、購入者と同じである。）や自動車の搭乗者との直接的な通信が可能となる。
【００１９】
加入者識別モジュールの有効化はここで、それが属する移動体通信システムの移動体通信プロバイダにより行なわれるが、これは、移動体通信プロバイダが、その移動体通信識別番号のために移動体通信システムを設定（コンフィギュレーション）することで、その加入者識別モジュールが、その移動体通信システムにおける利用に関して有効と認められるようにする形で行なわれる。
【００２０】
「移動体通信状態」とは、本発明の範囲内においては、自動車の移動体通信コンポーネントがその通信能力に関して占めている状態のことである。
【００２１】
中央計算機は、表示すべきメッセージをデータ接続を介して伝送する前に、プロセッサ装置において、メッセージの継続処理及び／又は表示のために一つ又は複数のソフトウェアモジュールが必要かどうかを調べることができる。必要なソフトウェアモジュールがプロセッサ装置にインストールされていない場合、相応のソフトウェアモジュールをインストールするために、データ接続を介して、中央計算機からプロセッサ装置に宛ててインストール命令を伝送するか、或いは然るべきソフトウェアモジュールをそのインストール命令と共に伝送することができる。必要なソフトウェアモジュールが実行されない場合、該当するソフトウェアモジュールを実行するために、データ接続を介して、中央計算機からプロセッサ装置に宛てて実行命令を伝送することができる。
【００２２】
ソフトウェアモジュールのインストール及び／又は実行によって、何時でも、自動車のソフトウェア状態に関係無く、表示すべきメッセージを自動車に伝送して、その自動車の表示装置に表示することができる。
【００２３】
「ソフトウェア状態」とは、本発明の範囲内において、ソフトウェアモジュールがそのインストール状態及びその現在の実行状態に関して占めている状態のことである。
【００２４】
インストール状態はこのとき、以下の状態を含む。
−インストールされた状態、
−インストールされておらず、インストールできる状態、
−インストールされておらず、インストールできない状態。
【００２５】
ここで、インストールされておらず、直接インストール可能なソフトウェアモジュールは、プロセッサ装置に接続された、自動車内のメモリ装置に保存されていて、そこからインストールできるのでもよい。しかし、インストールされておらず、インストールできないソフトウェアモジュールが存在する場合、中央計算機は、そのソフトウェアモジュールをインストールのために伝送することができる。この場合、そのようにして伝送されたソフトウェアモジュールは、インストールできるソフトウェアモジュールとして、メモリ装置に保存されて、伝送されて来るインストール命令によって、そこからインストールが行なわれる。
【００２６】
実行状態は、以下の状態を含む。
−実行される状態、
−実行されておらず、実行可能な状態、
−実行されておらず、実行不可能な状態。
【００２７】
「実行されておらず、実行不可能なソフトウェアモジュール」とは、本発明の範囲内において、そのソフトウェアモジュールの実行可能性に関して、所定の別のソフトウェアモジュールが必要であるが、その別のソフトウェアモジュールがその時点で実行されないか、インストールされていないか、或いはその両方であるソフトウェアモジュールのことである。
【００２８】
中央計算機は、プロセッサ装置のソフトウェア状態に関する情報が与えられているので、メッセージの伝送を実行できるように、ソフトウェア状態を変更するのに必要な措置を講じることができる。即ち、中央計算機は、メッセージの表示に必要な全てのソフトウェアモジュールが「インストールされている」インストール状態にあるとともに、「実行される」実行状態にあるようにする。そのようにしてからようやく中央計算機は、表示すべきメッセージを伝送する。
【００２９】
プロセッサ装置においてメッセージの継続処理及び／又はメッセージの表示のためにインストールされた（インストール済みの）ソフトウェアモジュール及び／又は実行された（実行済みの）ソフトウェアモジュールの中の一つ又は複数は、中央計算機から伝送されるアンインストール命令を用いたプロセッサ装置におけるアンインストール及び／又は中央計算機から伝送される停止命令を用いたプロセッサ装置における停止を行なうことができる。
【００３０】
それによって、ソフトウェアモジュールのその前のソフトウェア状態、即ち、インストール前のインストール状態及び実行前の実行状態を復元することができる。
【００３１】
この場合、アンインストール時に、アンインストールすべきソフトウェアモジュールをメモリ装置に保存することができ、その結果、新たに必要となった場合に、そのメモリ装置から、そのソフトウェアモジュールを支障なく、素早く再インストールすることが可能である。しかし、中央計算機によって、インストール可能なソフトウェアモジュールをメモリ装置から消去することもできる。
【００３２】
表示装置にメッセージを表示した後、加入者識別モジュールは無効化することができる。
【００３３】
それによって、その前の移動体通信状態を復元することができる。
【００３４】
この場合、加入者識別モジュールの無効化は、有効化と同様に、それが属する移動体通信システムの移動体通信プロバイダによって行なわれる。
【００３５】
表示すべきメッセージを伝送するために、先ず、中央計算機から、捜し当てられた各自動車のプロセッサ装置にトリガーを伝送することができる。トリガーは、中央計算機からメッセージ又はメッセージへのリンクを呼び出すようにプロセッサ装置を制御することができる。このプロセスでメッセージへのリンクが中央計算機から呼び出される場合は、プロセッサ装置は、そのリンクに基づいてメッセージを呼び出すことができる。
【００３６】
それによって、利用できる送信容量及び／又は利用できるリソースが効率的に使用される。
【００３７】
「利用できる送信容量」とは、本発明の範囲内において、移動体通信システムにより単位時間当たり送信可能なデータ量のことである。
【００３８】
「リソース」とは、本発明の範囲内において、コンピュータの動作又はコンピュータプログラムの実行に必要なコンピュータの動作手段又はシステム資源のことである。
【００３９】
「トリガー」とは、本発明の範囲内において、そのトリガーの受信者の識別とデータソースへの参照指示とを含む小さなメッセージのことである。データソースへの参照指示とは、そのデータソースからデータを呼び出すためのコマンドであると理解することができる。トリガーはしかし、その呼び出しに対するコマンドを含んでいるのでもよい。
【００４０】
そのようなトリガーは、僅かなデータ量しか持たないので、何度も伝送可能である。個別の自動車にあてたトリガーの伝送に基づいて呼び出されるデータの成功率がそれほど高くないとしても、伝送すべきデータの負担は許容できる。有利には、トリガーは、２５６バイト又は２５６文字（Ｚｅｉｃｈｅｎ）を超えない。
【００４１】
複数の自動車を選択することによって、複数の自動車に対して、加入者識別モジュールの有効化及び／又は無効化と、一つ又は複数のソフトウェアモジュールのインストール、実行、アンインストール及び／又は停止と、の中の一つ以上を行なうことができる。
【００４２】
それによって、複数の自動車に対して、以前の移動体通信状態及び／又はソフトウェア状態を同時に且つそれ故に効率的に復元することができる。
【００４３】
この場合、複数の自動車の選択は、上で説明した選択基準に基づき行なうことができる。
【００４４】
入力装置を用いた形でメッセージを表示する場合、プロセッサ装置によって、使用者のリアクション、特に、使用者の確認又は入力を検知することができる。使用者のリアクションは、保存のためにデータ接続を介してプロセッサ装置から中央計算機に伝送することができる。
【００４５】
それによって、使用者による伝送されたメッセージの確認を検知して、中央計算機に記録することができる。これは、確認が法律に係るようなメッセージ、例えばリコール時のメッセージなどを伝送する場合に有利である。幾つかの国では、例えば、当局や新聞を介してリコールを伝える代わりに、自動車の各運転者又は購入者に直接リコールを伝送することで法律の規則に応じるようにできる。
【００４６】
更に、使用者によるデータ入力を請う手段がある。この場合、個人に関係するデータ、例えば、名前、宛て名及び／又は電子メールアドレス、電話番号等の更に別の連絡手段などを問い合わせることができる。それによって、自動車の購入後に自動車の購入者と連絡を取ることでさらなるサービス及び／又はサポートの提供を提示でき且つそれにより顧客満足度を向上させる手段が実現される。
【００４７】
「使用者」とは、本発明の範囲内において、自動車の運転者又は搭乗者の中の一人、有利には、自動車の購入者又は所有者、或いはそのような者から権限を与えられた人のことである。
【００４８】
本発明の別の観点では、表示すべきメッセージを自動車の表示装置に伝送するためのプロセッサ装置が意図されている。この場合、プロセッサ装置は、表示すべきメッセージを受信して、自動車の表示装置に表示するように構成されている。プロセッサ装置は、表示すべきメッセージを受信してメッセージを表示するために、データバスインタフェースを介して自動車のデータバスに接続することが可能である。データバスは、表示すべきメッセージを受信する通信装置と、メッセージを表示する表示装置とに接続されている。プロセッサ装置はここで、上で説明した方法を実施するように構成されている。
【００４９】
本発明の別の観点では、そのようなプロセッサ装置を備えた自動車が意図されている。
【００５０】
本発明の別の観点では、そのような自動車を備えたメッセージ伝送システムが意図されている。
【００５１】
更に、メッセージ伝送システムは、表示すべきメッセージを自動車の表示装置に伝送する中央計算機と、中央計算機の操作に利用されるオペレーティングコンピュータとを備えている。
【００５２】
中央計算機を用いて、メッセージ伝送システムを中央で制御することが可能であり、中央計算機において、中央から全ての制御データにアクセスすることができる。
【００５３】
以下に、図面に基づき本発明を詳しく説明する。
【図面の簡単な説明】
【００５４】
【図１】表示すべきメッセージを自動車の表示装置に伝送するメッセージ伝送システムの概略図である。
【図２】表示すべきメッセージを自動車の表示装置に伝送する方法のフロー図である。
【発明を実施するための形態】
【００５５】
以下において、表示すべきメッセージを自動車の表示装置に伝送するメッセージ伝送システム１の実施例を説明する（図１）。
【００５６】
メッセージ伝送システム１は、中央計算機２、オペレーティングコンピュータ３、自動車５のプロセッサ装置４及びプロセッサ装置４を備えた自動車５を有する。
【００５７】
中央計算機２は、表示すべきメッセージを自動車の表示装置に伝送する方法の実施に関連するデータを保存するメモリ装置６に接続されている。これらのデータは、ソフトウェアモジュール、インストール情報、個人を識別するための識別子、使用者リアクションの記録、或いは入力された使用者データ、認証データ、承認データ及び／又は通信接続データ及び自動車固有の複数のパラメータを含む。自動車固有のパラメータは、自動車データベースに保存することができる。
【００５８】
自動車固有のパラメータは、自動車５の製造時に設定されるパラメータ、所定のパラメータ及び／又は自動車５に割り当てられているパラメータを含む。これらのパラメータは、例えば、車台番号などの車両を特定するための車両識別番号、自動車型式番号又は自動車鍵番号、モデル符号、自動車５と通信するための通信接続データ、自動車にあるデバイス、装置、機器、ソフトウェアモジュール等の識別番号及び／又はバージョン番号である。
【００５９】
保存された通信接続データはこのとき、例えば、ＩＰアドレス、移動体通信データ、移動体通信プロバイダデータ、通信装置データ及び加入者識別モジュールデータなどの計算機２，３又は自動車５との通信に必要な全てのデータを含む。
【００６０】
中央計算機２は、データネットワーク７に接続されている。データネットワーク７は、ローカルデータネットワーク（ＬＡＮ）、或いは、例えば、インターネットなどの広域ネットワーク（ＷＡＮ）とすることができる。
【００６１】
オペレーティングコンピュータ（Ｂｅｄｉｅｎｒｅｃｈｎｅｒ）３は、中央計算機２と通信できるように、同じくデータネットワーク７に接続されている。オペレーティングコンピュータ３はここで、中央計算機２の操作のために利用され、有利には、オペレーティングコンピュータ３には、オペレーティングコンピュータ３のオペレータが中央計算機２において異なる役割及び権限でログインするためのログインプロセスが装備されている。
【００６２】
更に、移動体通信プロバイダ計算機８がデータネットワーク７に接続されており、データネットワーク７を介して中央計算機２と通信することができる。移動体通信プロバイダ計算機８はここで、移動体通信システムの移動体通信プロバイダの計算機システムであり、中央計算機２は、加入者識別モジュールの有効化と無効化のためにこのシステムにアクセスすることができる。この場合、有利には、承認された中央計算機２だけが移動体通信プロバイダ計算機８と通信できるように、認証プロセスを実行することができる。
【００６３】
更に、設置型通信装置９がデータネットワーク７に接続されており、これにより、中央計算機２と設置型通信装置９は互いに通信することができる。
【００６４】
設置型通信装置９は、通信接続１０を介して、自動車５に配置された通信装置１１に接続されている。通信装置１１は、自動車５内のデータバス１２に接続されており、例えば、移動体通信システムにデータを伝送するように構成されている。この場合、移動体通信システムは、ＧＳＭ、ＵＭＴＳ、ＬＴＥ、４Ｇ又は５Ｇなどの移動体通信標準に準拠するシステムであってもよい。通信装置１１がそのような移動体通信標準に従って構成されている場合、ＩＭＥＩ（英語でＩｎｔｅｒｎａｔｉｏｎａｌ  Ｍｏｂｉｌｅ  Ｓｔａｔｉｏｎ  Ｅｑｕｉｐｍｅｎｔ  Ｉｄｅｎｔｉｔｙ：ＩＭＥＩ）と称される通信装置識別番号を有する。通信装置識別番号は、通信装置データに含まれている。
【００６５】
通信装置１１には、加入者識別モジュール１３が接続されており、このモジュールが移動体通信識別番号を有し、移動体無線呼出し番号を有することができる。加入者識別モジュール１３は、移動体通信識別番号を用いて一義的に特定することができるとともに、移動体無線呼出し番号によってアドレス指定することが可能である。ＳＩＭカードとして構成された加入者識別モジュール１３の場合、移動体通信識別番号は、ＩＣＣ−ＩＤ（英語でＩｎｔｅｇｒａｔｅｄ  Ｃｉｒｃｕｉｔ  Ｃａｒｄ−Ｉｄｅｎｔｉｆｉｃａｔｉｏｎ  Ｎｕｍｂｅｒ：ＩＣＣ−ＩＤ）と称され、移動体無線呼出し番号は、ＭＳＩＳＤＮ（英語でＭｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ又はＭｏｂｉｌｅ  Ｓｔａｔｉｏｎ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ：ＭＳＩＳＤＮ）と称される。これらの移動体無線呼出し番号及び移動体通信識別番号は、加入者識別モジュールデータに含まれている。
【００６６】
自動車データベースにおいて各自動車５を車両識別番号により一義的に特定することが可能であるので、それを介して、その自動車５の通信装置識別番号、移動体通信識別番号及び移動体無線呼出し番号にアクセスすることができる。自動車５において、例えば修理又は改修のために、通信装置１１が別の通信装置１１と交換された場合及び／又は加入者識別モジュール１３が別の加入者識別モジュール１３と交換された場合、自動車データベースにおいて、通信装置識別番号、移動体通信識別番号及び／又は移動体無線呼出し番号が更新される。
【００６７】
プロセッサ装置４は、データバスインタフェース１４を備えている。このデータバスインタフェース１４を介して、プロセッサ装置４はデータバス１２に接続されており、その結果、最終的に中央計算機２とプロセッサ装置４は、上で説明したコンポーネントを介して互いに通信することができる。
【００６８】
データバス１２は、自動車５の別の装置又は機器を互いに接続するとともに、プロセッサ装置４に接続する。自動車５のそれらの装置及び機器は、データバス１２を介して、互いに通信するとともに、プロセッサ装置４と通信することができる。
【００６９】
メッセージ、特に本発明に基づき伝送すべきメッセージを表示するために利用される表示装置１５が、データバス１２に接続されている。表示装置１５には、例えば、ナビゲーション地図、走行指示、インターネットコンテンツ、音楽一覧、マルチメディアコンテンツ等の別のコンテンツ又は情報も表示可能である。
【００７０】
以下に、プロセッサ装置４のさらに他のコンポーネントを説明する。
【００７１】
プロセッサ装置４を制御するマイクロプロセッサ１６が、データバスインタフェース１４に接続されている。マイクロプロセッサ１６は、データバスインタフェース１４を介してデータバス１２と通信することができる。
【００７２】
マイクロプロセッサ１６は、更に、内部メモリ１７に接続されている。内部メモリ１７は、マイクロプロセッサ１６により実行可能且つプロセッサ装置４の動作時に実行されるプログラム、例えば、インターネットブラウザ、ニュースアプリケーション、ショートメッセージサービス等のプログラムを保存する他、プロセッサ装置４の動作中のさらに別のデータを保存する役割を持つ。
【００７３】
マイクロプロセッサ１６は更に、外部メモリ装置１９を繋ぐためのメモリ装置インタフェース１８に接続されている。マイクロプロセッサ１６は、メモリ装置インタフェース１８を介して、データを外部メモリ装置１９に書き込むか、或いはそこから読み出すことができる。これは、特に、データ量が大きいインストール可能なソフトウェアモジュールを保存する場合に、データを保存するのに出来るだけ有利なメモリ媒体を使用できるようにするのに利用される。外部メモリ装置１９は、有利には、電源の停止又は障害時でもデータが失われないように、不揮発性メモリとして形成されている。外部メモリ装置１９は、例えば、記憶用のフラッシュメモリを備えたドライブ機構である。
【００７４】
内部メモリ１７及び／又は外部メモリ装置１９には、自動車固有のパラメータ、通信接続データ、認証データ、表示すべきメッセージ、使用者リアクション、インストール可能なソフトウェアモジュール及び／又はインストールされたソフトウェアモジュールを保存することができる。
【００７５】
以下に、表示すべきメッセージを自動車の表示装置に伝送する実施例を説明する（図２）。この方法は、上で説明したメッセージ伝送システム１を用いて実施することが可能である。
【００７６】
この方法は、工程Ｓ１から始まる。
【００７７】
工程Ｓ２では、オペレータのオペレーティングコンピュータ３において、少なくとも一つの自動車５で表示すべき少なくとも一つのメッセージが生成される。この場合、メッセージの生成は、（図示されていない）メモリ媒体、中央計算機２、或いはデータネットワーク７に接続された（図示されていない）それ以外の計算機システムから、既に生成されたメッセージをロードすることをも含む。有利には、中央計算機２からのメッセージのロードは、オペレータがその前に中央計算機へのログインを行なって、認証に成功することが前提となる。
【００７８】
次に、オペレータは、メッセージを伝送すべき少なくとも一つの自動車５を選択する（工程Ｓ３）。そのために、オペレータは、（好ましくは、或いは未だなされていなければ）中央計算機２へのログインを行なう。オペレータは、少なくとも一つの自動車５を選択し、その選択のために、少なくとも一つの相応の選択基準、或いは選択基準の範囲又は組合せを入力する。複数の自動車５を選択することもでき、その後、本方法の別の手順において、最終的に同じメッセージが伝送される。
【００７９】
中央計算機２は、入力された選択基準に基づき、メモリ装置６に保存されている自動車データベースから、各自動車５と通信するための然るべき通信接続データと、自動車の移動体通信状態及びソフトウェア状態を捜し当てる（工程Ｓ４）。これらの通信接続データは、各自動車５において自動車の通信装置１１に接続されている相応の加入者識別モジュール１３に割り当てられている移動体通信識別番号を含む。加入者識別モジュール１３が本方法の実施前に少なくとも一回有効化されたか、或いは移動体無線呼出し番号が自動車データベースに保存されている場合、これらの通信接続データは移動体無線呼出し番号も含むことができる。移動体通信状態は、加入者識別モジュール１３が有効化されているのか否かを表す一方、ソフトウェア状態は、自動車５にインストールされたソフトウェアモジュールとその実行状態を表す。
【００８０】
次に、中央計算機２は、各自動車５の加入者識別モジュール１３が無効化されているか否かを調査する（工程Ｓ５）。中央計算機は、前もって捜し当てられた移動体通信状態に基づき、この調査を行なうことができる。
【００８１】
加入者識別モジュール１３が無効化されている場合、本方法の手順は、加入者識別モジュール１３を有効化する工程Ｓ６の実施に進む。中央計算機２が、加入者識別モジュール１３に割り当てられた移動体通信識別番号を含む有効化メッセージを移動体通信プロバイダ計算機８に伝送することによって、この有効化を実施する。この場合、有利には、移動体通信プロバイダ計算機８において、中央計算機２の認証が行なわれ、その結果、承認された中央計算機２だけが有効化メッセージを伝送できるようになる。
【００８２】
加入者識別モジュール１３がそれまでに未だ有効化されたことが無く、その時に初めて有効化される場合、移動体無線呼出し番号が、その加入者識別モジュール１３に未だ割り当てられていないか、或いは自動車データベースに保存されていないことが起こり得る。その場合、移動体通信プロバイダ計算機８が、有効化メッセージを取得した後、新しい移動体無線呼出し番号を加入者識別モジュール１３に割り当てる。移動体通信プロバイダ計算機８は、有効化メッセージに対する応答として、割り当てられた移動体無線呼出し番号を中央計算機２に伝送する。次に、中央計算機２は、入手した移動体無線呼出し番号を車両識別番号と組み合わせて自動車データベースに保存することができる。
【００８３】
その後、中央計算機２により、加入者識別モジュール１３に割り当てられた移動体無線呼出し番号を用いて、通信接続部１０を介した自動車５とのデータ接続が構築される（工程Ｓ７）。
【００８４】
それに続く工程Ｓ８では、中央計算機２により、自動車５のソフトウェア状態が調査される。即ち、メッセージの伝送に必要なソフトウェアモジュールがプロセッサ装置４にインストールされており、実行されるのか否かを調査する。
【００８５】
全ての必要なソフトウェアモジュールがインストールされておらず、実行されない場合、本方法の手順は、中央計算機２が、インストールメッセージを用いて、必要なソフトウェアモジュールをプロセッサ装置４にインストールするか、或いは実行メッセージを用いて、必要なソフトウェアモジュールをプロセッサ装置で実行する工程Ｓ９の実施に進む。この場合、中央計算機２は、先ず、インストールされていないソフトウェアモジュール毎に、各ソフトウェアモジュールが、インストール可能なソフトウェアモジュール、例えば、ソフトウェアパッケージとして、内部メモリ１７又は外部メモリ装置１９に保存されているのか否かを調査する。インストールされていない各ソフトウェアモジュールがそこに保存されていない場合、中央計算機２は、データ接続を介して、そのソフトウェアモジュールをプロセッサ装置４に伝送し、そのプロセッサ装置が、伝送されて来たソフトウェアモジュールをインストール可能なソフトウェアモジュールとして内部メモリ１７又は外部メモリ装置１９に一時保存する。インストールされていないソフトウェアモジュールがインストール可能なソフトウェアモジュールとして保存又は一時保存されていない場合、インストールされていないソフトウェアモジュールをインストールするために、中央計算機２によって、インストールメッセージがプロセッサ装置４に伝送される。この場合、プロセッサ装置４の拡張されたプログラムメモリとして利用される外部メモリ装置１９の特定の領域または内部メモリ１７においてインストールが行なわれる。全ての必要なソフトウェアモジュールがインストールされた後、プロセッサ装置４がそれらの全てを実行するのか否かが調査される。実行されていないソフトウェアモジュールを実行するために、中央計算機２は、それらのソフトウェアモジュールの各々に対して、相応の実行メッセージを伝送する。異なるソフトウェアモジュールに対する実行メッセージが、一つの実行メッセージにおいて一緒に伝送され得ることで、移動体通信システムの送信容量に僅しか負荷がかからないようになる。実行メッセージを取得したら、プロセッサ装置４は、各ソフトウェアモジュールをインストールしてそれらを実行し、それにより全ての必要なソフトウェアモジュールが実行されることになる。
【００８６】
その後、中央計算機２は、少なくとも一つの表示すべきメッセージをプロセッサ装置４に伝送する（工程Ｓ２０）。この場合、メッセージの伝送は、先ず、トリガーが中央計算機２からプロセッサ装置４に伝送されるようにして行なわれる。トリガーは、メッセージ又はそのメッセージへのリンクを中央計算機２から呼び出すように、プロセッサ装置４を制御する。このプロセスにおいて、メッセージへのリンクが中央計算機２から伝送されて来た場合、次にプロセッサ装置４がそのリンクに基づきメッセージを呼び出すことで、中央計算機２がそのメッセージを伝送することになる。このプロセスでは、複数の表示すべきメッセージを順次伝送することもできる。
【００８７】
この場合、トリガー、リンク及び／又はメッセージは、例えば、ショートメッセージサービス（英語でＳｈｏｒｔ  Ｍｅｓｓａｇｅ  Ｓｅｒｖｉｃｅ：ＳＭＳ）毎に加入者識別モジュールの移動体無線呼出し番号に伝送するか、ネットワークアクセス毎に通信装置１１の一つのＩＰ（英語でＩｎｔｅｒｎｅｔ  Ｐｒｏｔｏｃｏｌ）アドレスに伝送するか、或いはその両方が可能である。この場合、ネットワークアクセスは、プロセッサ装置４で実行されるプログラムにより提供することができる。
【００８８】
そして、プロセッサ装置４が、データバス１２を介して、表示すべきメッセージを表示装置１５に伝送することによって、一つの表示すべきメッセージ又は複数の表示すべきメッセージが、プロセッサ装置４により表示装置１５に表示される（工程Ｓ１１）。
【００８９】
表示プロセスが実行された後、中央計算機２は、前に工程Ｓ９で実行されたソフトウェアモジュールの停止及び／又は前に工程Ｓ９でインストールされたソフトウェアモジュールのアンインストールを行なう（工程Ｓ１２）。これは、ソフトウェアモジュールのインストール又は実行と同様に、即ち、中央計算機２からプロセッサ装置４への停止メッセージ及び／又はアンインストールメッセージの伝送によって行なわれる。このとき、内部メモリ１７又は外部メモリ装置１９に一時保存されるインストール可能なソフトウェアモジュールは、その後新たにインストールして利用するために、保存されたままにすることができる。それらはしかし、中央計算機２の消去メッセージに応じて消去することもできる。
【００９０】
その後、中央計算機２は、前に工程Ｓ６で有効化された加入者識別モジュール１３を無効化する（工程Ｓ１３）。これは、工程Ｓ６での有効化と同様に、即ち、中央計算機２が、加入者識別モジュール１３に割り当てられた移動体通信識別番号を含む無効化メッセージを移動体通信プロバイダ計算機８に伝送することによって行なわれる。この場合、有利には、中央計算機２の認証が移動体通信プロバイダ計算機８で行なわれ、その結果、承認された中央計算機２だけが無効化メッセージを伝送することができる。
【００９１】
次に、本方法の手順は、この動作を続行するのか否かを決定する工程Ｓ１４の実行に進む。
【００９２】
この動作を続行する場合、工程Ｓ２が新たに実行される。そうでない場合、本方法は、工程Ｓ１５で終了する。
【００９３】
工程Ｓ５で、中央計算機２が、各加入者識別モジュールが無効化されていないことを確認した場合、本方法の手順は、直に工程Ｓ７の実行に進む。
【００９４】
工程Ｓ８で、中央計算機２が、全ての必要なソフトウェアモジュールがプロセッサ装置４にインストールされて、実行されることを確認した場合、本方法の手順は、直に工程Ｓ１０の実行に進む。
【００９５】
以下において、メッセージ伝送システム１の代替実施構成を説明する。
【００９６】
プロセッサ装置４は、この実施例では、自動車５の説明していない他のコンポーネントからは独立した制御装置として表されている。しかし、プロセッサ装置は、別の機能も実行可能な、自動車５の中央制御装置と同じ装置であってもよい。それにより、何れにせよ最新の自動車５に装備されている中央制御装置をメッセージの伝送のために利用することができる。ただし、それによって中央制御装置の計算能力と利用可能なリソースとに負荷をかけることになる。
【００９７】
異なる移動体通信プロバイダの複数の移動体通信プロバイダ計算機８及び／又はそれらの異なる移動体通信プロバイダの複数の設置型通信装置９をデータネットワーク７に接続することができる。異なる移動体通信プロバイダの複数の移動体通信プロバイダ計算機８がある場合、それらの異なる移動体通信プロバイダの各々には、その移動体通信プロバイダだけが使用できる少なくとも一つの設置型通信装置９を割り当てることができる。
【００９８】
異なる移動体通信プロバイダの複数の設置型通信装置９が存在する場合、それらの設置型通信装置９は、異なる移動体通信システムにおいて、異なる周波数帯域及び／又は異なる多重化方式及び／又は符号化方式により動作させることができる。
【００９９】
加入者識別モジュール１３は、その加入者識別モジュールに特定の移動体通信プロバイダをいつでも柔軟に割り当てることができるように構成されていてもよい。これは、異なる移動体通信プロバイダの中の一つを介して通信するために、加入者識別モジュール・コンフィギュレーションメッセージを用いて、加入者識別モジュール１３をコンフィギュレーションできることを意味する。そして、加入者識別モジュール１３には、通信装置１１への組み込み前、或いは、加入者識別モジュール１３を備えた通信装置１１の自動車５への組み込み前に、（第一の）移動体通信プロバイダが割り当てられる。加入者識別モジュール１３がＳＩＭカードとして構成されている場合、そのようなＳＩＭカードは、所謂ホワイト・レーベル・ＳＩＭであり、加入者識別モジュール・コンフィギュレーションメッセージは、ＳＩＭサブスクリプションと称される。
【０１００】
タッチスクリーンとして表示装置１５を構成する代わりに、表示装置１５をタッチ検知式でない形で構成することもできる。その場合、有利には、データバス１２に接続可能で且つ使用者リアクションにより検知できる（図示されていない）入力装置が設けられている。入力装置はここで、キーボード、ボタン、カメラ、有利には、ジェスチャー制御を備えたカメラ等として構成することができる。
【０１０１】
そのような入力装置は、タッチスクリーンとして構成された表示装置１５に追加して設けられていてもよい。
【０１０２】
外部メモリ装置１９を省略することもできる。その場合、更に、メモリ装置インタフェース１８を省略することができる。そして、プロセッサ装置４の動作に必要な全てのデータを内部メモリ１７に保存することができる。その場合、内部メモリ１７は、電源の停止又は障害時でもデータが失われないようにするために、有利には不揮発性メモリとして構成される。
【０１０３】
それに代わって、或いはそれに追加して、図１で破線により表示された特別なメッセージ計算機２０が、メッセージ伝送機能の全体又は一部を引き受けることができる。その場合、中央計算機２は、メッセージ伝送機能を実行しないか、或いは部分的にしか実行しない。メッセージ計算機２０は、データネットワーク７に接続されており、中央計算機２は、そのデータネットワークと通信することができる。メッセージ計算機２０は、メッセージ、メッセージへのリンク及び／又はトリガーを伝送することができる。その場合、中央計算機２は、メッセージ計算機２０が引き受けない機能だけを実行する。有利には、メッセージ計算機２０は、少なくともメッセージを伝送する。メッセージ計算機２０の使用は、特に多数のメッセージ及び／又は大量のメッセージの伝送時に中央計算機２のリソースを節約する。
【０１０４】
以下において、上述した表示すべきメッセージを自動車の表示装置に伝送する方法の代替実施構成を説明する。
【０１０５】
工程Ｓ２及びＳ３を実行する順番を入れ換えることができる。
【０１０６】
工程Ｓ２〜Ｓ４を実行する順番をＳ３，Ｓ４，Ｓ２の順番に変更することができる。
【０１０７】
異なる移動体通信プロバイダの複数の移動体通信プロバイダ計算機８が存在する場合、中央計算機２は、工程Ｓ４において、自動車データベースに基づき、それらの移動体通信プロバイダ計算機８の中の何れを介して加入者識別モジュール１３を有効化できるのかを捜し当てる。工程Ｓ６が実行された場合、中央計算機２は、工程Ｓ４で捜し当てられた移動体通信プロバイダ計算機８に有効化メッセージを伝送する。
【０１０８】
中央計算機２は、工程Ｓ４において、加入者識別モジュール１３が、その加入者識別モジュールに移動体通信プロバイダを可変に割り当てることができるように構成されていることを確認した場合、先ず、実際に如何なる移動体通信プロバイダが加入者識別モジュール１３に割り当てられているのか捜し当てる。何故なら、その移動体通信プロバイダを介してのみ、加入者識別モジュール１３と通信することができるからである。その場合、中央計算機２は、例えば、可能性のある移動体通信プロバイダのリストに基づき、別の移動体通信プロバイダが有利にも加入者識別モジュール１３に割り当てられているか否かを捜し当てることができる。別の移動体通信プロバイダを使用することによって、例えば、送信容量の効率的な使用及び／又は効率的なデータ送信、速いデータ送信及び／又は安価なデータ伝送などの利点を得ることができる。
【０１０９】
中央計算機２は、工程Ｓ４において、加入者識別モジュール１３に割り当てられた別の移動体通信プロバイダ又は新しい移動体通信プロバイダを捜し出した場合、工程Ｓ６において、先ず、現在割り当てられている移動体通信プロバイダの移動体通信プロバイダ計算機８を介して、別の移動体通信プロバイダ又は新しい移動体通信プロバイダを加入者識別モジュール１３に割り当てるための加入者識別モジュール・コンフィギュレーションメッセージを伝送することができる。そして、中央計算機２は、新たに割り当てられた移動体通信プロバイダの移動体通信プロバイダ計算機８を介して、上で説明した通り、加入者識別モジュール１３を有効化する（工程Ｓ６）。
【０１１０】
工程Ｓ１０では、メッセージを直接伝送することもできる。これは、中央計算機２からプロセッサ装置４にトリガー又はリンクを事前に伝送すること無く、メッセージが伝送されることを意味する。
【０１１１】
メッセージ計算機２０が存在する場合、中央計算機２は、工程Ｓ１０において、伝送すべきトリガー、リンク及び／又は伝送すべきメッセージを相応の通信接続データと共にメッセージ計算機２０に伝送することができる。そして、メッセージ計算機２０は、これらのトリガー、リンク及び／又はメッセージを相応の自動車５に伝送する。
【０１１２】
工程Ｓ１１では、メッセージの表示後に、例えば、使用者の確認又は使用者の入力などの一つ又は複数の使用者リアクションをプロセッサ装置４により検知することができる。そして、この一つの使用者リアクション又は複数の使用者リアクションは、プロセッサ装置４から中央計算機２に伝送して、その後の使用又は伝送のために、内部メモリ１７又は外部メモリ装置１９に一時保存することができる。それによって、自動車の運転者又は搭乗者が、例えば個人に関するデータなどの情報の入力を表示メッセージによって要求され、それを実行した場合に、所有者又は運転者に固有の情報が取得され得る。自動車の運転者又は搭乗者が、表示されたメッセージを用いて、確認することを要求されて、例えば、入力装置でのキーの押下を実行することによって、それを実行した場合、自動車の運転者又は搭乗者が表示されたメッセージの認知を確認することもできる。
【０１１３】
プロセッサ装置４でのソフトウェアモジュールの停止、アンインストール、消去及び／又は無効化を実施すべきでない場合、工程Ｓ１２及び／又はＳ１３の実行を省略するか、或いはこれらの工程を飛ばすことができる。
【符号の説明】
【０１１４】
１    メッセージ伝送システム
２    中央計算機
３    オペレーティングコンピュータ
４    プロセッサ装置
５    自動車
６    メモリ装置
７    データネットワーク
８    移動体通信プロバイダ計算機
９    設置型通信装置
１０    通信接続部
１１    通信装置
１２    データバス
１３    加入者識別モジュール
１４    データバスインタフェース
１５    表示装置
１６    マイクロプロセッサ
１７    内部メモリ
１８    メモリ装置インタフェース
１９    外部メモリ装置
２０    メッセージ計算機
【図１】
2019512908.tif 000003
【図２】
2019512908.tif 000004
【国際調査報告】
2019512908.tif 000005
2019512908.tif 000006
2019512908.tif 000007
2019512908.tif 000008